(57)【要約】【課題】管体１を交換しても可動部材１３と検出部２０が正確な位置関係になり、且つ管体１の着脱作業が容易である呼吸気流量測定装置を提供すること。【解決手段】管体１が保持部材２に対して装着された際に可動部材１３と検出部２０が所定の位置関係になるよう管体１を位置決めする管体位置決め手段を呼吸気流量測定装置に設ける。具体的には管体１の凹部１１とプランジャー部２３を嵌合させる。このようにすることによって、管体１を交換しても可動部材１３と検出部２０が正確な位置関係になり、また管体１の着脱動作が容易となる。【選択図】図１
2007111230.tif 000002
【特許請求の範囲】
【請求項１】
呼吸気が流れる流路を形成する管体と、
前記管体内に配置され、呼吸気が流れることによって可動する可動部材と、
前記可動部材の物理的変化を検出する検出手段と、
前記検出手段を保持すると共に前記管体を着脱可能に保持する保持部材と、
前記管体が前記保持部材に対して装着された際に前記可動部材と前記検出手段が所定の位置関係になるよう前記管体を位置決めする管体位置決め手段と、
を有することを特徴とする呼吸気流量測定装置。
【請求項２】
前記管体位置決め手段は、前記管体の外周面を介して前記管体を位置決めすることを特徴とする請求項１に記載の呼吸気流量測定装置。
【請求項３】
前記管体位置決め手段は、一定の負荷が加わると負荷方向に移動する突出部材を有することを特徴とする請求項１又は２に記載の呼吸気流量測定装置。
【請求項４】
前記保持部材に前記突出部材が設けられており、前記管体に前記突出部材と嵌合する凹部が設けられていることを特徴とする請求項３に記載の呼吸気流量測定装置。
【請求項５】
前記突出部材と前記凹部は複数設けられていることを特徴とする請求項４に記載の呼吸気流量測定装置。
【請求項６】
前記管体を前記保持部材に装着する際の案内部が前記保持部材に設けられていることを特徴とする請求項１乃至６の何れか１項に記載の呼吸気流量測定装置。
【発明の詳細な説明】
【技術分野】
【０００１】
本発明は、被験者の呼吸気の流量を測定する呼吸気流量測定装置に関する。
【背景技術】
【０００２】
人体の肺機能を検査する装置として、被験者の呼吸気の流量を測定する呼吸気流量測定装置（以下、「スパイロメータ」という。）が知られている。
【０００３】
このスパイロメータは多種のものがあり、例えば、気体が流通する通路中の層流抵抗体の前後の差圧を検出する差圧センサを用いた気体計測用流量計（特許文献１参照）や、偏向部材により呼吸気を渦流にし、その渦流により回転する回転体を流路中に設け、その回転に応じて回転体に遮断される発光器からの光を受光器により受光してその受光量から回転体の回転を検出する回転センサを用いた呼吸流量計測装置がある（特許文献２参照）。
【０００４】
しかし、特許文献１に記載のように、通路中の層流抵抗体の前後の差圧を検出する流量計は、比較的安価に構成することが可能であるが、流体の流路中に圧力センサを備える必要があった。そのため、流体の主流路をディスポーザブルにした場合でも、圧力センサを備えた部分の流路については交換せずに使用することとなり、毒性や感染性のある流体を測定する場合には問題があった。
【０００５】
そこで本出願人は、流体が流れる管体の内部に可動部材を配置し、流体の流量に応じて変化する可動部材の物理変化量を検出手段で検出し、流体の流量を算出する流量測定装置を提案した（特願２００４−３５６８９０又は特願２００５−１６１１３０）。当該流量測定装置によれば、検出手段が管体の外部に配置されているので、測定する毎に管体を消毒又は交換することが容易で、毒性や感染性のある流体を扱う場合に安全性を確保することができる。
【特許文献１】特開平７−８３７１３号公報
【特許文献２】特開２０００−２９８０４３号公報
【発明の開示】
【発明が解決しようとする課題】
【０００６】
ところで、本出願人が提案した上記流量測定装置は、可動部材の物理変化量を非接触の検出手段により検出することで流体の流量を算出するものであるため、可動部材と検出手段は正確な位置に配置させなければならない。そこで可動部材と検出手段を固設することが考えられるが、衛生上の観点で可動部材を内部に有する管体を測定する毎に交換する必要があるため固設することはできない。従って、管体を交換する毎に可動部材と検出手段が所定の位置関係になるよう考慮しなければならない。
【０００７】
一方で、管体を交換する毎に螺旋止め等を行い可動部材と検出手段を所定の位置関係にしようとしても、交換する毎に螺旋止め等を行っていたのでは手間がかかってしまい効率良く流量を測定することができない。
【０００８】
従って、本発明の目的は、流体が流れる管体の内部に可動部材を配置し、流体の流量に応じて変化する可動部材の物理変化量を検出手段で検出する装置で、管体を交換しても可動部材と検出手段が正確な位置関係になり、且つ管体の着脱作業が容易である呼吸気流量測定装置を提供することにある。
【課題を解決するための手段】
【０００９】
上記目的を達成するため、本発明では、管体の交換に際しても可動部材と検出手段が所定位置になり正確に検出できるように工夫した。
【００１０】
即ち、本発明に係る呼吸気流量測定装置は、
呼吸気が流れる流路を形成する管体と、
前記管体内に配置され、呼吸気が流れることによって可動する可動部材と、
前記可動部材の物理的変化を検出する検出手段と、
前記検出手段を保持すると共に前記管体を着脱可能に保持する保持部材と、
前記管体が前記保持部材に対して装着された際に前記可動部材と前記検出手段が所定の位置関係になるよう前記管体を位置決めする管体位置決め手段と、
を有することを特徴とするものである。
【発明の効果】
【００１１】
本発明に係る呼吸気流量測定装置によれば、管体を交換しても可動部材と検出手段が正確な位置関係になり、且つ管体の着脱作業が容易である
【発明を実施するための最良の形態】
【００１２】
〈第１の実施形態〉
図１は本発明に係る呼吸気流量測定装置（スパイロメータ）１００の概要を説明する全体構成図である。
【００１３】
１は呼吸気流量測定用の管体であり、２は管体１が挿入され管体１を保持する保持部材であり、３は保持部材２に接続された流量換算部である。
【００１４】
管体１には、管体１が保持部材２に位置決めされるための凹部１１と、呼吸気が流れる流路１２を形成する流路部１２０と、被験者が口を付けるマウスピース部１４が設けられている。
【００１５】
保持部材２には、呼吸気の流量を測定するための検出部（検出手段）２０と、管体１を位置決めするためのプランジャー部（管体位置決め手段）２３が設けられている。
【００１６】
管体１は図１に示す矢印方向に沿って保持部材２に挿入され、測定可能な所定の位置で保持部材２に装着される構造になっている。この装着される構造については後ほど詳細に説明する。
【００１７】
検出部２０の構成について説明する。検出部２０は、例えば光源部２１と受光部２２とで構成されている。光源部２１は、例えば、冷陰極管により構成される線発光光源により構成され、流路部１２０に設けられた透過部１５を介して、図２に示す照射範囲Ｒｇ内の可動部材１３を照射し、管体１を中心に受光部２２と対向する位置に配置されている。光源部２１には、例えばＥＬ（Ｅｌｅｃｔｒｏ  Ｌｕｍｉｎｅｓｃｅｎｅ）等の広領域を照射して面発光する光源や、ＬＥＤ（Ｌｉｇｈｔ  Ｅｍｉｔｔｉｎｇ  Ｄｉｏｄｅ）のような点発光する光源からの光を拡散板で拡散させて照射する光源等を適宜採用可能である。
【００１８】
受光部２２は、ＣＣＤ（Ｃｈａｒｇｅ  Ｃｏｕｐｌｅｄ  Ｄｅｖｉｃｅ）エリアセンサ、ＣＣＤラインセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）エリアセンサ、ＣＭＯＳラインセンサ等の光学検知素子により構成される。受光部２２は、光源部２１が照射する照射範囲Ｒｇ内の可動部材１３の光学像を電気信号に変換（光電変換）する機能部であり、流量換算部３に光電変換した電気信号をケーブルＣＢを介して出力する。なお、受光部２２と流量換算部３とは、例えば、有線ＬＡＮ、無線ＬＡＮ及びＷＡＮ等のネットワークを介して接続可能であってもよいし、光ファイバーによって光学的な通信接続を行うこととしてもよい。
【００１９】
また、本実施の形態では検出部２０は、光源部２１と受光部２２とで可動部材１３の物理的変化を光学的に検出しているが、磁気センサや電波センサ等の非接触センサとすることも可能である。
【００２０】
呼吸気の流量測定方法について図２〜図４を用いて詳しく説明する。
【００２１】
図２に管体１を軸方向に切断した縦断面図を、図３に管体１の径方向に可動部材１３の接合部分を切断した縦断面図を、図４（ａ）に管体１の軸方向に切断した横断面図を示す。
【００２２】
図２〜図４に示すように、流路１２の内壁には、呼吸気の流れの一部を遮断する方向に可動部材１３が配置されている。可動部材１３の一端は流路１２の内壁に接合固定され、もう一端は、光源部２１と受光部２２とを結ぶ直線Ｐ上に固定される。
【００２３】
可動部材１３は、着色料の含有等により遮光性を有し、且つ可撓性を有する樹脂等の薄板上の弾性体により構成され、呼吸気の流量に応じて図２のようにｂ又はｄの方向に変形する。この変形の度合い（例えば、可動部材１３の下端１３１の移動量）は可動部材１３の弾性力、変形による流路の開口度、気流の流れの変化等により決められる。弾性力は可動部材１３の厚みや形状、素材材質等により決まる。
【００２４】
例えば、呼気の流量を測定する場合には、管体１に被験者が呼気を吹き込むことにより、図２の矢印ａ方向に気流が生じる。この気流により、可動部材１３が矢印ｂ方向に変形する（撓む）。また、吸気の流量を測定する場合には、管体１から吸気を吸い込むことにより、図２の矢印ｃ方向に気流が生じる。この気流により、可動部材１３が矢印ｄ方向に変形する（撓む）。スパイロメータ１００は、可動部材１３の物理的変化としての変形の度合いを受光部２２において撮像された光学像に基づいて検出することにより、呼吸流量の測定を行う。尚、物理的変化とは、物体の形状の変形だけでなく、物体の移動又は回転等の変移も含むこととする。
【００２５】
受光部２２は、この呼吸気に応じて撓む可動部材１３の照射範囲Ｒｇの光学像を走査、露光することで読み取る。そして、その読み取った光学像を電気信号（電圧）に変換し、流量換算部３のデータ入力部３３に出力する。
【００２６】
このとき、図４（ａ）の断面図のように、光源部２１の照射光が伝搬する方向に沿って、可動部材１３と受光部２２とが順に並ぶように配置されるため、光源部２１の照射光は、その一部が非透過性の可動部材１３によって遮断されて受光部２２に透過する。このため、可動部材１３の暗影を含む光学像、即ち透過像が形成されて受光部２２に受像される。
【００２７】
図４（ｂ）に、可動部材１３の光学像を読み取って受光部２２が生成した電気信号のグラフを示し、そのｘ軸が管体１の軸方向の位置座標、ｙ軸が受光部２２が変換する電気信号の信号値（電圧値）を表す。
【００２８】
図４（ｂ）のグラフに示すように、受光部２２が変換した電気信号の信号値は、可動部材１３の厚さに相当する像検出範囲Ｒ１の信号値Ｓｂが、可動部材１３に遮られることなく透過した照射光を受光して得られた信号値Ｓａよりも低い値をとる。このように、光源部２１からの照射光により、可動部材１３の光学像（透過像）は、当該可動部材１３の暗影が明瞭な電気信号に変換される。このため、電気信号から可動部材１３のｘ軸方向の座標位置を正確に読み取ることができる。
【００２９】
例えば、上述した呼吸気の流れにより、可動部材１３が変形して、照射範囲Ｒｇ内で矢印ｂの方向に変形すると、像検出範囲Ｒ１がその変形に伴ってｘ軸の＋方向に移動する。また、照射範囲Ｒｇ内の可動部材１３が矢印ｄの方向に変形すると、像検出範囲Ｒ１がその変形に伴って−方向に移動する。従って、呼吸気が流れていないときの可動部材１３の初期座標Ｘａと、像検出範囲Ｒ１の中心位置の座標位置との差分から可動部材１３がどの程度変形したかを表す変移量（単位：ｍｍ）を算出することができる。
【００３０】
ここで、流路部１２０の光学的な透過率が低いと、呼吸気により変化する可動部材１３の状態を受光部２２において正確に測定できない。また、流路部１２０を透過率が高い部材ですべて作ってしまうと、管体１を支持する保持部材２の外部から光が受光部２２領域に混入してしまい、正確な測定ができないこととなる。そこで、流路部１２０の検出部２０と対向する部位に透過部１５を設けられている。透過部１５では全光線透過率が８０％以上１００％以下であることが好ましい。また、透過部１５以外の流路部１６では、全光線透過率が０％以上３０％以下であることが望ましい。この全光線透過率は、ＪＩＳ  Ｋ７３６１−１により規定されたものである。具体的な材料としては全光線透過率が異なるアクリル樹脂等が考えられる。このように流路部１２０に透過部１６を設けることにより、呼吸気の流量を正確に測定することが可能となる。
【００３１】
なお、可動部材１３の下端１２１に金属片や無線発振器等を設けることにより、検出部２０を磁気センサや電波センサとすることができる。この場合、流路部１２０の光学的な透過は必要なく、透過部１６を省略できる。
【００３２】
図５は、流量換算部３の機能構成の一例を示すブロック図である。図５によれば、流量換算部３は、ＣＰＵ（Ｃｅｎｔｒａｌ  Ｐｒｏｃｅｓｓｉｎｇ  Ｕｎｉｔ）３０、操作部３１、表示部３２、データ入力部３３、ＲＯＭ（Ｒｅａｄ  Ｏｎｌｙ  Ｍｅｍｏｒｙ）３４、ＲＡＭ（Ｒａｎｄｏｍ  Ａｃｃｅｓｓ  Ｍｅｍｏｒｙ）３５、記憶部３６を備えて構成される。尚、流量換算部３は、一般的なパーソナルコンピュータやＰＤＡ（Ｐｅｒｓｏｎａｌ  Ｄｉｇｉｔａｌ  Ａｓｓｉｓｔａｎｔ）、携帯電話機等の各種電子機器で構成することとしてもよい。
【００３３】
ＣＰＵ３０は、流量換算部３を構成する各機能部に対する指示やデータの入出力を行う機能部である。より具体的に、ＣＰＵ３０は、操作部３１から入力される操作信号に応じてＲＯＭ３４及び記憶部３６に格納されたプログラムを読み出し、当該プログラムに従って処理を実行する。そして、処理結果を表示出力するための表示データを表示部３２に出力し、当該表示データに従った画面を表示部３２に表示させる。
【００３４】
操作部３１は、数字や仮名、アルファベット等の文字入力や機能選択等に必要なキー群と、マウス等のポインティングデバイスを備えて構成され、押下されたキーの押下信号や、ポインティングデバイスの位置情報等をＣＰＵ３０に出力する。表示部３２は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等の表示パネルを備えて構成され、ＣＰＵ３０から入力される表示データに基づいた各種画面を当該表示パネルに表示させる。
【００３５】
データ入力部３３は、Ｄ／Ａ変換器を備えて構成され、受光部２２から入力された電気信号をＤ／Ａ変換してＣＰＵ３０に出力する。
【００３６】
ＲＯＭ３４は、不揮発性の半導体メモリで構成され、各種初期設定、ハードウェアの検査、又は必要なプログラムのロード等を行うための初期プログラムを格納している。ＲＡＭ３５は、書き換え可能な半導体素子で構成され、ＣＰＵ３０が実行する各種プログラムやこれらのプログラムの実行に係るデータ等を一時的に保持する。
【００３７】
記憶部３６は、磁気的、光学的な記憶媒体にデータの読み書きを行う機能部であり、ＨＤＤ（Ｈａｒｄ  Ｄｉｓｋ  Ｄｒｉｖｅ）等により構成される。本実施形態における記憶部３６は、図８に示す流量換算テーブル３７を記憶する。
【００３８】
流量換算テーブル３７は、図６に示すデータ構成の一例のように、可動部材１３の変移量３７１と、気流量情報３７２とを対応付けて記憶するデータテーブルである。ＣＰＵ３０は、この流量換算テーブル３７を用いて次のようにして呼吸流量を換算する。
【００３９】
先ずＣＰＵ３０は、データ入力部３３を介して入力される受光部２２の電気信号から像検出範囲Ｒ１を検出する。そして、予め定められた初期座標Ｘａと、像検出範囲Ｒ１の中心座標とを比較して、可動部材１３の変移量を算出する。次いで、算出した可動部材１３の変移量に対応する気流量情報を流量換算テーブル３７から読み出し、この気流情報を呼吸流量として決定する。
【００４０】
例えば、可動部材１３の変移量を０．３ｍｍとして算出した場合、その変移量に対応する気流量情報「０．６」を流量換算テーブル３７から読み出して、呼吸流量として決定する。このようにして、可動部材１３の変移量を呼吸流量に換算する。ＣＰＵ３０は、この換算した呼吸流量や、呼吸流量の推移を積分して計算した呼吸気量を表示部３２に表示させる。
【００４１】
以上説明したように、光源部２１からの照射光により可動部材１３の透過像が形成され、当該透過像が受光部２２により受像されることにより、簡易な方法で呼吸気の流量が測定できる。また、可動部材１３の光学像を受光部２２により撮像して、その光学像に基づいて呼吸流量を換算するため、受光部２２は、管体１内を通る呼吸気に接触しない。従って、呼吸流量の測定する毎に、受光部２２等を消毒・洗浄しなくてよく、手間が省ける。
【００４２】
図７は管体１と保持部材２の断面形状を示した図である。
【００４３】
管体１は保持部材２に装着される構造になっているが、装着動作を円滑に行うため、管体１には被案内部１７が設けられており、保持部材２には案内部２４が設けられている。管体１を保持部材２に装着する場合、被案内部１７が案内部２４と嵌合することによって管体１が円滑に装着可能となる。本実施形態では管体側が凹形状、保持部材側が凸形状となっているが、凹凸を相互に変えた態様であっても全く同様の効果が得られる。
【００４４】
前述した呼吸気流量測定装置（スパイロメータ）１００は、可動部材１３の物理変化量を非接触の検出部２０により検出することで流体の流量を算出するものであるため、可動部材１３と検出部２０は正確な位置に配置させなければならない。そこで、管体１を装着する際に可動部材１３と検出部３０が所定の位置関係になるよう考慮しなければならない。そこで、以下に管体１が保持部材２に装着され所定位置で位置決めされる構造を図８を用いて説明する。
【００４５】
図８で示すように、管体１には凹部１１が設けられており、保持部材２には凹部１１と嵌合するプランジャー部（管体位置決め手段）２３が設けられている。プランジャー部２３には一定の負荷がかかると負荷方向に移動する球形部（突出部材）２３２があり、バネ（図示せず）によって付勢されている。図８におけるＸ方向に一定の負荷がかかると球形部２３２は移動し、バネの付勢力に抗して円筒部２３１の内部に移動する構造になっている。
【００４６】
管体１が保持部材２に装着される動作を説明する。図８（ａ）で示す矢印方向に管体１が移動すると、管体１の先頭部Ａ（図８（ｂ）参照）がプランジャー部２３の球形部２３２に接触し、球形部２３２がバネの付勢力に抗して円筒部２３１の内部に移動する。そうすると図８（ｂ）で示すように、管体１の先頭部Ａがプランジャー部２３を通過することとなる。さらに管体１を移動させ管体１の凹部１１がプランジャー部２３周辺に差し掛かると、球形部２３２がバネの付勢力によって円筒部２３１から表に出て、図８（ｃ）に示すように凹部１１とプランジャー部２３が嵌合し、管体１が保持部材２の所定位置で装着されることになる。このように管体１が保持部材２における所定位置で位置決めされることによって、管体１を交換しても可動部材１３と検出部２０が正確な位置関係になり、呼吸気の流量を測定するための可動部材１３の物理的変化が光源部２１と受光部２２によって正確に検出されることとなる。また管体１を螺旋止め等により保持部材２に位置決めするわけではなく、管体１を保持部材に挿入する動作のみで、プランジャー部２３により位置決めされるため、着脱動作が容易となる。
【００４７】
図９に図８（ｃ）におけるＡ−Ａ断面図を示す。
【００４８】
プランジャー部２３は管体１の外周面を介して管体１を位置決めする構造となっている。管体１の内部には流路１２や可動部材１３等が設けられており、また管体１が交換が可能となっているため、管体１の内周面を介して管体１を位置決めすることは複雑な構成となりえる。そこで管体１の外周面を介して位置決めを行えば、管体１の装着動作に支障がなく、管体１の内周面を介して位置決めするよりも簡易な構成により強固な位置決めが可能となる。
【００４９】
また、プランジャー部２３は上下に２つずつ設けられている。複数のプランジャー部２３により管体１が位置決めされることによって、保持部材２で管体１が強固に位置決めされ、正確な位置で管体１を保持することができる。
【００５０】
保持部材２の変形例を第１０図に示す。
【００５１】
第１０図（ａ）に示す変形例は保持部材２が水平方向に分割されている構造である。第１の保持部材２５をＹ１方向に移動し、第２の保持部材２６をＹ２方向に移動することによって第１の保持部材２５と第２の保持部材２６を嵌合させて、管体１を保持する構造となっている。また、第１０図（ｂ）に示す変形例は保持部材２が垂直方向に分割されている構造である。第１の保持部材２５をＺ１方向に移動し、第２の保持部材２６をＺ２方向に移動することによって第１の保持部材２５と第２の保持部材２６を嵌合させて、管体１を保持する構造となっている。
〈第２の実施形態〉
管体１を保持部材２に装着する第２の実施形態について図１１を用いて説明する。
【００５２】
保持部材２の上面は図で示す矢印方向に開放される構造になっており、開放した状態で管体１が保持部材２に装着される。管体１の左右側面には複数の被案内部１７が設けられており、保持部材２の内部には複数の案内部２４が設けられている。管体１を保持部材２に装着する場合、被案内部１７が案内２４と嵌合することによって管体１が円滑に装着可能となる。また、被案内部１７と案内２４が管体位置決め手段としての機能を発揮し、被案内部１７が案内部２４と嵌合することによって管体１を交換しても可動部材１３と検出部２０が正確な位置関係になり、呼吸気の流量を測定するための可動部材１３の物理的変化が光源部２１と受光部２２によって正確に検出されることとなる。また、管体１を螺旋止め等により保持部材２に位置決めするわけではなく、管体１を保持部材２に挿入する動作のみで管体１と保持部材２が位置決めされるため、着脱動作が容易となる。本実施形態では管体側が凹形状、保持部材側が凸形状となっているが、凹凸を相互に変えた態様であっても全く同様の効果が得られる。
【００５３】
本発明に係る呼吸気流量測定装置は、以上説明したような形態であるが、本発明に係る呼吸気流量測定装置は本実施形態に限定されることはなく、本発明の思想の範疇であれば他の実施形態も考えられることは言うまでもない。
【図面の簡単な説明】
【００５４】
【図１】本発明の第１の実施形態を示す呼吸気流量測定装置（スパイロメータ）１００の概要を説明する全体構成図である。
【図２】管体１を軸方向に切断した縦断面図である。
【図３】管体１の径方向に可動部材１３の接合部分を切断した縦断面図である。
【図４】管体１の軸方向の横断面図と、受光部２２が出力する電気信号を表した図である。
【図５】流量換算部３の機能構成の一例を示すブロック図である。
【図６】流量換算テーブル３７のデータ構成を示す図である。
【図７】管体１と保持部材２の断面形状を示した図である。
【図８】管体１が保持部材２に挿入され所定位置で係止される構造を説明した図である。
【図９】管体１の径方向にプランジャー部２３の接合部分を切断した縦断面図である。
【図１０】保持部材２を水平方向又は垂直方向に分割した構造を説明した図である。
【図１１】本発明の第２の実施形態を示す管体１及び保持部材２の概要を説明する図である。
【符号の説明】
【００５５】
１００  呼吸気流量測定装置（スパイロメータ）
１  呼吸気流量測定用の管体
１１  凹部
１２  流路
１２０  流路部
１３  可動部材
１４  マウスピース部
１５  透過部
１７  被案内部
２  保持部材
２０  検出部（検出手段）
２１  光源部
２２  受光部
２３  プランジャー部（管体位置決め手段）
２４  案内部
２３１  円筒部
２３２  球形部（突出部材）
３  流量換算部
【図１】
2007111230.tif 000003
【図２】
2007111230.tif 000004
【図３】
2007111230.tif 000005
【図４】
2007111230.tif 000006
【図５】
2007111230.tif 000007
【図６】
2007111230.tif 000008
【図７】
2007111230.tif 000009
【図８】
2007111230.tif 000010
【図９】
2007111230.tif 000011
【図１０】
2007111230.tif 000012
【図１１】
2007111230.tif 000013